(57)【要約】【課題】取り付け作業が容易である鳥類、小動物等の止り防止具を提供することを課題としている。【解決手段】屋上（１１）の縁（１２）における四隅にそれぞれ固着される複数個の防止具本体（２）と、該防止具本体（２）間に張設される複数本の線状物（３）とを具備し、前記防止具本体（２）は、上端（４０１）をテーパー状に傾斜させるとともに該傾斜させた上端（４０１）に傾斜方向に沿って複数のガイド溝（６）を形成し、更に線状物を巻き付けるための巻き付け孔（７）を形成した本体部（４）と、該本体部（４）の下端部分に連接した取り付けベース（５）と、を具備したことを特徴とし、屋上（１１）の縁（１２）における四隅に防止具本体（２）を設置するとともに防止具本体間にテグスを張設することで、屋上の縁部分全域にテグスを張設可能にした。【選択図】図１
2007312742.tif 000002
【特許請求の範囲】
【請求項１】
屋上の縁部分に鳥類や小動物が止まることを防止するための鳥類、小動物等の止り防止具であって、少なくとも屋上（１１）の縁（１２）における四隅にそれぞれ設置される複数個の防止具本体（２）と、該防止具本体（２）間に張設される複数本の線状物（３）とを具備し、
前記防止具本体（２）は、
上端（４０１）をテーパー状に傾斜させるとともに、該傾斜させた上端（４０１）に傾斜方向に沿って複数のガイド溝（６）を形成した本体部（４）と、
該本体部（４）の下端部分に連接した取り付けベース（５）と、を具備したことを特徴とする鳥類、小動物等の止り防止具。
【請求項２】
前記本体部（４）に、前記線状物（３）の端部を固定するための固定手段（７）を備えたことを特徴とする請求項１に記載の鳥類、小動物等の止り防止具。
【請求項３】
前記固定手段（７）が、前記本体部（４）に形成した、線状物を巻き付けるための巻き付け孔（７）であることを特徴とする請求項２に記載の鳥類、小動物等の止り防止具。
【請求項４】
前記線状物（３）がテグスであることを特徴とする請求項１乃至請求項３のいずれかに記載の鳥類、小動物等の止り防止具。
【発明の詳細な説明】
【技術分野】
【０００１】
本発明は、屋上の縁部分に鳩、カラス等の鳥類や猫等の小動物が止まることを防止するための鳥類、小動物等の止り防止具に係り、より詳しくは、特に面倒な作業を経ることなく屋上の縁部分に設置でき、これにより有効に鳥類、小動物が屋上の縁部分に止まることを防止可能とした鳥類、小動物等の止り防止具に関する。
【背景技術】
【０００２】
従来から、鳩、カラス等の鳥類がベランダの手摺に止まる被害が発生しているが、その他、建造物の屋上の縁にこれらの鳥類が止まって糞等を撒き散らす被害も多数件発生している。
【０００３】
そのために、これらの被害を防止するための各種の防止具等が提供されているが、いずれも、構造が複雑になるとともに取り付けが大変であるという問題点が指摘されている。
【０００４】
そこで、過去においては、構造が簡単であり取り付けも容易なものとして、固定部材を用いて、この固定部材を介して屋上の縁の上等にコイルを取り付ける方法が提案されており（特開２００４−１７３６３９号公報参照）、この方法によれば、簡単な構造で鳥類が屋上の縁に止まることを防止することが可能となる。
【特許文献１】特開２００４−１７３６３９号公報
【特許文献２】特開２００３−３１０１３７号公報
【特許文献３】特開２００３−１２５６９６号公報
【特許文献４】特開２０００−３１６４５８号公報
【特許文献５】特開平１０−１７９００８号公報
【特許文献６】登録実用新案第３０２８６７９号公報
【発明の開示】
【発明が解決しようとする課題】
【０００５】
しかしながら、コイルは伸び縮みするために、コイルを用いた場合には、コイルが左右側に揺動することを防止する必要があり、そのためには、前述の特開２００４−１７３６３９号公報に記載の発明のように、コイルを固定するための固定部材が必要となる。
【０００６】
そのために、このコイル方式の鳥類の止まり防止具では、部品点数が多くなりコストが上がってしまうとともに、固定部材の取り付け及びこの固定部材へのコイルの取り付け等の作業が必要になり、いきおい作業が煩雑にならざるを得ないという問題点がかんがえられる。
【０００７】
そこで、本発明は、取り付け作業が容易である鳥類、小動物等の止り防止具を提供することを課題としている。
【課題を解決するための手段】
【０００８】
本発明の鳥類、小動物等の止り防止具は、屋上の縁部分に鳥類や小動物が止まることを防止するための鳥類、小動物等の止り防止具であって、少なくとも屋上の縁における四隅にそれぞれ設置される複数個の防止具本体と、この防止具本体間に張設される複数本の線状物とを具備し、
前記防止具本体は、
上端をテーパー状に傾斜させるとともに、該傾斜させた上端に傾斜方向に沿って複数のガイド溝を形成した本体部と、
該本体部の下端部分に連接した取り付けベースと、を具備したことを特徴としている。
【発明の効果】
【０００９】
本発明の鳥類、小動物等の止り防止具では、上端をテーパー状に傾斜させるとともにこの傾斜部分に傾斜方向に沿って複数のガイド溝を形成した本体部を有する複数個の防止具本体と、前記本体部におけるガイド溝に係止する形態で防止具本体間に張設する複数本の線状物を備えている。
【００１０】
そのため、屋上の縁における四隅に防止具本体を設置するとともに、この防止具本体間に線状物を張設することで、本発明の鳥類、小動物等の止り防止具を設置することができ、極めて容易に、鳥類、小動物が止まり屋上の縁に止まることを防止することができる。
【００１１】
また、本体部に形成したガイド溝を介して線状物を張設することができるために、線状物を固定するための特別な部品が不要であり、部品点数を少なくしてコストを抑えることも可能である。
【発明を実施するための最良の形態】
【００１２】
本発明の鳥類、小動物の止まり防止具では、少なくとも屋上の縁における四隅にそれぞれ設置される複数個の防止具本体と、この防止具本体間に張設される線状物を有し、防止具本体は、本体部と、この本体部を屋上の縁に設置するための取り付けベースとを有し、取り付けベースにはボルト孔が形成されている。
【００１３】
そして、本体部は、平板状としており、その上辺部はテーパー状にわずかに傾斜させ、この傾斜部分には、傾斜方向に沿って間隔を置き、線状物が係止可能なガイド溝が形成されている。
【００１４】
ここで、本体部には、線状物の端部を固定するための固定手段を形成するとよく、この固定手段としては例えば、線状物の端部部分を巻き付けることが可能な巻き付け孔にするとよい。
【００１５】
また、前記線状物としてはテグスを用いるとよく、これにより、特に鳩等の鳥類を有効に寄せ付けないものにすることが可能となる。
【実施例１】
【００１６】
本発明の鳥類、小動物の止まり防止具（以下においては単に「防止具」という。）の実施例について図面を参照して説明すると、本実施例の防止具は、屋上の縁の四隅に設置される４個の防止具本体と、この防止具本体間に張設される線状物としてのテグスにより構成されている。
【００１７】
ここで、前記防止具本体について説明すると、図１は前記防止具本体の正面図であり、また、図２は前記防止具本体の右側面図であり、図において２が防止具本体である。
【００１８】
そして、前記防止具本体２は本体部４を有しており、この本体部４は、正面視野を略長方形状とした平板状としており、その上辺部４０１は、テーパー状に傾斜させている。
【００１９】
また、高さ寸法の短い側辺部４０２（図１における左側の側辺部をいい、以下においては「先端側」という。）は、前記傾斜させた上辺部４０１に連続してなだらかに湾曲させている。
【００２０】
そして、前記上辺部４０１には、傾斜方向に沿って間隔を置いて、複数個のガイド溝６が形成されており、及び、前記先端側４０３には、高さ方向に沿って間隔を置いて、複数個のガイド溝６が形成され、このガイド溝６内に線状物を係止可能としている。
【００２１】
ここで、前記ガイド溝６について説明すると、本実施例において前記ガイド溝６は、先端側の側辺部４０２及び上辺部４０１の端部から本体部４の中心側へ向けて形成した挿入路６０１と、この挿入路６０１の先端部に挿入路６０１に連続して形成した係止部６０２とで構成されている。そして、このガイド溝６内に線状物を係止するときには、挿入路６０１を介してガイド溝６内に線状物を挿入するとともに、この挿入路６０１内に挿入した線状物を、更に推し進めていきつつ、係止部６０２内に入れて係止することとしている。
【００２２】
なお、本実施例においては、前記ガイド溝６に隣り合う配置で補助用のガイド溝６ｂを形成しており、この補助用のガイド溝６ｂは、後述するように、屋上等が広いときに用いるが、必ずしも必要なものではない。
【００２３】
次に、図１において７は、線状物を本体部に固定するための固定手段としての巻き付け孔である。即ち、本実施例の防止具では、前記本体部４に複数個の巻き付け孔７を形成しており、前記係止部６０２に係止した線状物の端部をこの巻き付け孔７に巻き付け、これにより、線状物の端部を前記本体部４に固定することとしている。
【００２４】
次に、図において５は取り付けベースである。即ち、本実施例の防止具では、前記本体部４の下端に取り付けベース５を連設しており、この取り付けベース５によって、前記本体部４を屋上の縁に設置することとしている。
【００２５】
ここで、前記取り付けベース５について説明すると、本実施例において前記取り付けベース５は長板状としており、この取り付けベース５を、その長手方向が前記本体部４の下辺部と平行になるようにして、前記本体部４の下端に連設している。なお、連設の方法は特に限定されず、本体部４と取り付けベース５とを型により一体形成してもよく、あるいは溶接、接着等により本体部４の下端に取り付けベース５を連設してもよい。
【００２６】
次に、このように構成される防止具本体２と前記線状物との関係を説明すると、図３は、前記防止具本体２に線状物を係止している状態を示した図であり、図において３が線状物である。
【００２７】
そして、本実施例において前記線状物３としてはテグスを用いており、このテグス３を防止具本体２に係止することとしている。
【００２８】
即ち、本実施例の防止具においてテグス３を本体部４に係止する場合には、テグス３の端部部分をガイド溝６における係止部６０２内に入れ、更に、線状物３を係止部６０２と巻き付け孔７間に巻き付けるとともに、テグス３の先端部をテグス３の他の部分と結び、これにより、本体部２にテグス３を係止する。そしてこの作業をすべてのガイド溝６について行う。この状態を示した斜視図が図３である。
【００２９】
次に、以上のように構成される本実施例の防止具の使用方法について説明すると、図４において１１は建造物の屋上の一部であり、また１２は屋上１１の縁部分である。そして、屋上１１の縁部分１２に本実施例の防止具を取り付ける場合には、まず、縁１２の四隅部分に、本体部４の先端側４０２が縁１２の角部分１２０１に向くような配置で、ボルト等を用いて取り付けベース８を設置して、これにより、防止具本体２を屋上１１の縁部分１２に設置する。
【００３０】
次に、前述の方法によって、テグス３の先端部を任意の一個の本体部３に係止した後に、このテグス３で他の３個の本体部３における係止部６０２を貫通させつつ、テグス３の他端部を、先端部を係止した方法と同様にして、テグス３の先端部を係止した本体部３に係止し、これにより、４個の本体部間にテグス３を張設する。
【００３１】
そして、この作業を、すべてのガイド溝６について行う。即ち、ガイド溝６の数と同数のテグス３を本体部３間に張設し、これにより本実施例の防止具の設置が完了する。
【００３２】
また、屋上が広い場合には、テグス３がたるんでしまうことを防止するため、四隅に設置した防止具本体２間に１又は複数個の防止具本体２を更に設置するとともに、屋上の縁の四隅に設置した防止具本体２間に張設したテグス３を、図５に示すように、ガイド溝６及び補助用のガイド溝６ｂ間に巻き付け、四隅に設置した防止具本体２間に更に設置した防止具本体２に係止する。
【００３３】
そうすると、屋上１１の縁部分１２の全域にテグスを張設することができ、縁部分１２上に鳩、カラス等の鳥類や猫等の小動物が止まることを防止することができる。
【００３４】
そしてこのとき、本実施例の防止具では、防止具本体２を屋上の縁における四隅に設置した後に防止具本体２間にテグス３を張設するのみでよいので、取り付け作業が極めて容易である。
【００３５】
また、コイルと異なり、テグスが揺動することがないために、縁の四隅に設置する防止具本体２のみでテグス３を張設することができ、部品点数が多くなることが無く低コストである。
【００３６】
更に、本体部４の上辺４０１をテーパー状に傾斜させ、このテーパー部分４０１に形成したガイド溝６を用いてテグス３を係止可能としており、各テグス３の縁からの高さ位置を異なったものにしているために、縁の幅が狭い場合でも、容易に多数本のテグスを張設することが可能である。
【００３７】
なお、前記本体部３及び取り付けベース５の材質は特に限定されず、金属、樹脂、紙等いずれでもよい。
【００３８】
また、ガイド溝６の数は特に限定されず、いずれの数としてもよく、更に、すべてのガイド溝６にテグスを係止する必要もない。
【産業上の利用可能性】
【００３９】
本発明の鳥類、小動物の止まり防止具は、特に屋上の縁にテグスを張設して鳥類、小動物が縁部分に止まることを防止しているために、屋上の縁に止まる可能性がある鳥類、動物等のすべてに適用可能であり、また、ベランダの手摺等にも適用可能である。
【図面の簡単な説明】
【００４０】
【図１】本発明の鳥類、小動物の止まり防止具の実施例における本体部の正面図である。
【図２】本発明の鳥類、小動物の止まり防止具の実施例における本体部の側面図である。
【図３】本発明の鳥類、小動物の止まり防止具の実施例における本体部に線状物を係止する方法を説明するための図である。
【図４】本発明の鳥類、小動物の止まり防止具の実施例の使用方法を説明するための図である。
【図５】本発明の鳥類、小動物の止まり防止具の実施例の使用方法を説明するための図である。
【符号の説明】
【００４１】
２    防止具本体
３    線状物（テグス）
４    本体部
４０１    上辺部
４０２    側辺部
５    取り付けベース
６    ガイド溝
６０１    挿入路
６０２    係止部
６ｂ    補助用のガイド溝
７    巻き付け孔
１１    屋上
１２    屋上の縁
１２０１    縁の角部分
【図１】
2007312742.tif 000003
【図２】
2007312742.tif 000004
【図３】
2007312742.tif 000005
【図４】
2007312742.tif 000006
【図５】
2007312742.tif 000007